(57)【要約】      （修正有）【課題】各ページを折り畳んで収納するとともに、天地・小口を全てカバーすることで内部に折り畳まれたページを収納した一つの閉じた箱体を形成することを可能とした折り畳み式ブックを提供する。【解決手段】表紙と、表紙と同形の裏表紙と、表紙と裏表紙に連設された背表紙と、表紙と裏表紙と同形の複数の本文頁と、からなる折り畳み式ブックであって、本文頁は、裏表紙の小口側に先頭となる本文頁の小口側が接続されるとともに、該先頭となる本文頁に連設する各本文頁をのど側と小口側とを交互に接続して蛇腹状に形成されており、表紙には、天側に背表紙と同幅の第一差込みを有する第一フラップが連設されるとともに、地側に背表紙と同幅の第二差込みを有する第二フラップが設置され、更に、小口側に背表紙に接続するための第三差込みを有する第三フラップが連設され、裏表紙には、第三差込みを挿入するためのストッパ孔を設けた構成である。【選択図】図１
2019181836.tif 000002
【特許請求の範囲】
【請求項１】
表紙(100)と、表紙と同形の裏表紙(200)と、前記表紙と前記裏表紙に連設された背表紙(300)と、前記表紙と前記裏表紙と同形の複数の本文頁(400)と、からなる折り畳み式ブック(1)において、
前記本文頁(400)は、前記裏表紙(200)の小口側(210)に先頭となる本文頁の小口側(410)が接続されるとともに、該先頭となる本文頁に連設する各本文頁をのど側(420)と小口側(410)とを交互に接続して蛇腹状に形成しており、
前記表紙(100)には、天側(120)に前記背表紙(300)と同幅の第一差込み(142)を有する第一フラップ(140)が連設されるとともに、地側(130)に前記背表紙(300)と同幅の第二差込み(242)を有する第二フラップ(240)が設置され、更に、小口側(110)に前記背表紙(300)に接続するための第三差込み(152)を有する第三フラップ(150)が連設され、
前記裏表紙(200)には、前記第三差込み(152)を挿入するためのストッパ孔(250)を設けたことを特徴とする折り畳み式ブック。
【請求項２】
前記折り畳み式ブック(1)は、蛇腹状に形成された前記本文頁(400)を折り畳んで、前記裏表紙(200)と前記背表紙(300)と前記表紙(100)と前記第三フラップ(150)との中に包囲したうえで、ストッパ孔(250)に第三差込み(152)を挿入して固定するとともに、
第一差込み(142)を前記裏表紙側の天側(220)の空隙(260)に差込むことにより第一フラップ(140)で天側(120・220)を封止し、第二差込み(242)を前記裏表紙側の地側(230)の空隙(262)に差込むことにより第二フラップ(240)で地側(130・230)を封止することを特徴とする請求項１記載の折り畳み式ブック。
【請求項３】
前記折り畳み式ブック(1)は、前記表紙(100)および前記裏表紙(200)の天側と地側との間が略８６ｍｍからなり、のど側と小口側との間が略５４ｍｍからなるとともに、束幅（背表紙の幅）が略２０ｍｍからなることを特徴とする請求項１記載の折り畳み式ブック。
【請求項４】
前記折り畳み式ブック(1)は、耐水性を有する樹脂材を素材に形成されることを特徴とする請求項１記載の折り畳み式ブック。
【発明の詳細な説明】
【技術分野】
【０００１】
本発明は、折り畳み可能なブック（多数頁からなる本）に関し、特に、各ページを折り畳んでコンパクトに一体的に収納することが可能であるとともに、天地および小口を全てカバーすることにより、内部に折り畳まれたページを収納した一つの閉じた箱体に形成できる、自動販売機等でも販売することが可能な、収納容易で機能性および取扱いに優れた折り畳み式ブックに関する。
【背景技術】
【０００２】
従来より、様々な機能や形状からなるブックが存在しており、用途に応じて様々な形状や構造のブックが開発されて利用されている。ブックの基本的な構造は、複数のページを背表紙を介して表紙と裏表紙で挟んでおり、複数のページの束は、見返しに接着されており、見返しを介して背表紙に接続する構成である。
【０００３】
このようなブックに関する技術として、特開２０１０−２１４９０８号公報が存在する。ここでは、本体部と外紙とからなる書籍であって、外紙は付加部を有しており、該付加部は、内表紙部、内背表紙部と内裏表紙部の全てに隣接し、これらの天方向及び／または地方向に延接するとともに、付加部を内表紙部、内背表紙部及び内裏表紙部と当接する側に折畳んだ構造が開示されている。この構造とすることにより、広い広告面を備え、従来の製本機械設備そのままで製本ができる付加的表紙を備えた書籍を提供することが可能となる旨が開示されている。
【０００４】
この技術によれば、広い広告面を備えるとともに、書籍本体が包まれた構造からなる機能性の高い書籍を提供することが可能になると考えられるが、付加的表紙が閉じた状態を維持させる事が困難であるという問題点があった。特に、書籍の販路として、書店に限られず例えば自動販売機等で販売を行う事を想定した場合に、自動販売機内で書籍が引っ掛かって破損する虞が生じるため、販路を問わない機能性の高い書籍を提供するという観点では不十分であった。
【０００５】
ブックの構造は、単純に書店に並べて販売することが可能なオーソドックスな通常の構造に限られず、あらゆる販路に対応可能な構造を有することが望ましい。このような自動販売機等でも販売することが可能な、収納容易で機能性に優れた折り畳み式ブックの開発が望まれていた。
【特許文献１】特開２０１０−２１４９０８号公報
【発明の開示】
【発明が解決しようとする課題】
【０００６】
本発明は上記問題を解決するために、折り畳み可能なブックであって、特に、各ページを折り畳んで収納することを可能とするとともに、天地および小口を全てカバーすることにより、内部に折り畳まれたページを保護収納した一つの閉じた箱体を形成することを可能とした、自動販売機等でも販売することが可能な、収納容易で機能性に優れた折り畳み式ブックを提供する事を目的とする。
【課題を解決するための手段】
【０００７】
上記の目的を達成するために本発明に係る折り畳みブックは、表紙と、表紙と同形の裏表紙と、前記表紙と前記裏表紙に連設された背表紙と、前記表紙と前記裏表紙と同形の複数の本文頁と、からなる折り畳み式ブックであって、前記本文頁は、前記裏表紙の小口側に先頭となる本文頁の小口側が接続されるとともに、該先頭となる本文頁に連設する各本文頁をのど側と小口側とを交互に接続して蛇腹状に形成しており、前記表紙には、天側に前記背表紙と同幅の第一差込みを有する第一フラップが連設されるとともに、地側に前記背表紙と同幅の第二差込みを有する第二フラップが設置され、更に、小口側に前記背表紙に接続するための第三差込みを有する第三フラップが連設され、前記裏表紙には、前記第三差込みを挿入するためのストッパ孔を設けた構成である。
【０００８】
また、前記折り畳み式ブックは、蛇腹状に形成された前記本文頁を折り畳んで、前記裏表紙と前記背表紙と前記表紙と前記第三フラップとの中に包囲したうえで、ストッパ孔に第三差込みを挿入して固定するとともに、第一差込みを前記裏表紙側の天側の空隙に差込むことにより第一フラップで天側または地側を封止し、第二差込みを前記裏表紙側の地側の空隙に差込むことにより第二フラップで地側または天側を封止する構成である。
【０００９】
また、前記折り畳み式ブックは、前記表紙および前記裏表紙の天側と地側との間が略８６ｍｍからなり、のど側と小口側との間が略５４ｍｍからなるとともに、束幅（背表紙の幅）が略２０ｍｍからなる構成である。
更に、前記折り畳み式ブックは、耐水性を有する樹脂材を素材に形成される構成である。
【発明の効果】
【００１０】
本発明は、上記詳述した通りの構成であるので、以下のような効果がある。
１．本文頁が裏表紙の小口側に接続される構成とするとともに、本文頁を蛇腹状に形成したため、裏表紙と本文頁を一連とした折り畳み可能なページを構成することが可能となる。
２．第一乃至第三フラップを天、地および小口側に設けたため、一つの閉じた箱体を形成することを可能となる。
【００１１】
３．天側と地側との間を略８６ｍｍとし、のど側と小口側との間を略５４ｍｍとし、束幅を略２０ｍｍとしたため、たばこと略同サイズとなり、例えばたばこの自動販売機を利用してブックの販売を行う事が可能となる。
４．折り畳み式ブックを樹脂素材によって構成したため、耐水性を有する事となり、濡れる可能性の高い場所でも読むことが可能となるとともに、結露の可能性のある自動販売機でもブックを販売することが可能となる。
【発明を実施するための最良の形態】
【００１２】
以下、本発明に係る折り畳み式ブックを、図面に示す実施例に基づいて詳細に説明する。図１は、本発明に係る折り畳み式ブックの展開図であり、図２は、箱状に組み立て収納した折り畳み式ブックの斜視図である。
【００１３】
本発明の折り畳み式ブック１は、図１に示すように、表紙１００と、裏表紙２００と、背表紙３００と、複数の連接した頁からなる本文頁４００とからなり、本文頁４００の各頁を蛇腹状に折り畳んで収納することを可能とするとともに、天地および小口を全て閉じた状態にすることで折り畳まれた本文頁４００を内部に収納する箱体からなる折り畳み式ブックである。
【００１４】
表紙１００は、折り畳み式ブック１のタイトル等が表示される表紙部分であり、表紙１００の表側（外側）に、タイトルなどが記載される構成である。なお、後述するように、本発明に係る折り畳み式ブック１は、本文頁４００が蛇腹状に構成されるとともに裏表紙２００に連設される構成であるため、表紙１００の裏側（内側）にも、本文頁４００に関連する内容を印刷することが可能となる。例えば、表紙１００の裏側（内側）を先頭ページにする構成とすることも可能である。
【００１５】
裏表紙２００は、表紙１００と同形からなる裏表紙部分である。本実施例では、裏表紙２００の表側（外側）に、例えば、著者名や奥付等の要素を記載する構成であるが、これに限定されることはない。また、裏表紙２００の裏側（内側）にも、本文頁４００に関連する内容が印刷される。例えば、裏表紙２００の裏側（内側）を先頭ページに続くページにすることも可能である。
【００１６】
背表紙３００は、表紙１００と裏表紙２００の間に連接される背部分である。背表紙３００の表側（外側）には、本実施例では、例えばブックのタイトル等が記載される構成であるが、これに限定されることはない。また、背表紙３００の裏側（内側）は、表紙１００と裏表紙２００の間に位置するため、例えば、表紙１００と裏表紙２００に跨る見開きページとして使用することも可能である。
【００１７】
本文頁４００は、本発明に係る折り畳み式ブック１の内容が表裏に記載される部分であり、表紙１００および裏表紙２００と同形であって複数のページからなる構成である。本実施例では、本文頁４００は表紙１００および裏表紙２００と同じ材質からなる構成であるが、これに限定されることはなく、異なる材質を選択して使用することも可能である。
【００１８】
本文頁４００は、本実施例では、図１に示すように、裏表紙２００の小口側２１０に、複数の連接した頁からなる本文頁４００の先頭の小口側４１０が接続される構成である。また、裏表紙２００に接続された本文頁４００の先頭に、他の複数の頁からなる本文頁４００を連設させるとともに、連接する各本文頁４００は、続いてのど側４２０と小口側４１０とを交互に接続した構成となっている。この構成とすることにより、裏表紙２００と本文頁４００が一連の蛇腹状に形成されることとなり、裏表紙２００と複数の頁からなる本文頁４００を一続きとした折り畳み可能なページを構成することが可能となる。
【００１９】
表紙１００には、図１に示すように、天側１２０に第一フラップ１４０が連設される。第一フラップ１４０には、背表紙３００と同幅からなる第一差込み１４２が設けられる。また、表紙１００には、更に、地側２３０に第二フラップ２４０が連設され、背表紙３００と同幅からなる第二差込み２４２が設けられる。この構成とすることにより、図２に示すように、折り畳みブック１を折り畳んだ際に、ブックの天地部分を封止することが可能となる。
【００２０】
また、表紙１００には、図１に示すように、小口側１１０に第三フラップ１５０が連設される。第三フラップ１５０には、背表紙３００に接続するための第三差込み１５２が設けられる。また、裏表紙２００には、第三差込み１５２を挿入するためのストッパ孔２５０を設けられる。この構成とすることにより、図２に示すように、折り畳みブック１を折り畳んだ際に、第３フラップ１５０によってブックの小口側１１０を封止するとともに第三差込み１５２とストッパ孔２５０によって箱型に固定することが可能となり、箱状に一体的に折り畳むことを可能とした折り畳み式ブックを構成することが可能となる。
【００２１】
次に、本発明に係る折り畳み式ブック１の使い方について詳述する。本発明に係る折り畳み式ブック１は、図１に示すように、複数の本文頁４００が蛇腹状に接続されて形成されたものを蛇腹状に折り畳んだ上で、図２に示すように、一列に順番に連設されている裏表紙２００と背表紙３００と表紙１００と第三フラップ１５０とを中空を形成するように箱型に折り畳んで、その中に折り畳まれた本文頁４００が入るように包囲する。その後、ストッパ孔２５０に第三差込み１５２を挿入して箱型に固定する。
【００２２】
また、第一差込み１４２を、裏表紙２００・背表紙３００・表紙１００・第三フラップ１５０を折り畳むことによって形成される裏表紙２００の天側２２０の空隙２６０に差込む。これにより、第一フラップ１４０で天側（１２０・２２０）を封止する。更に、第二差込み２４２を裏表紙２００の地側２３０の空隙２６２に差込むことにより、第二フラップ２４０で地側（１３０・２３０）を封止する。この構成とすることにより、一つの閉じた箱体を形成することを可能となる。
【００２３】
本発明に係る折り畳み式ブック１は、本実施例では、図１に示すように、表紙１００の裏側（内側）が先頭ページとなっている。続いて、裏表紙２００の裏側（内側）が２ページ目となり、蛇腹状に形成された本文頁４００の裏表紙２００に接続されたページ以下が３ページ目、４ページ目と続く。更に、本文頁４００の端部に位置するページの裏側へと続き、本文頁４００の裏表紙２００に接続されたページの表側（外側）が最終頁となっている。
【００２４】
なお、ページの続き方は、上記に限定されるものではなく、ブックの内容に応じて適宜変更することが可能である。また、本文頁４００の数は、ブックの内容に応じて適宜選択することはもちろん可能である。また、第一フラップ１４０、第二フラップ２４０および第三フラップ１５０は、表裏にブックの内容を印刷することが可能であり、広告等を印刷する構成とすることも可能である。背表紙３００の裏側（内側）も同様に、ブックの内容を印刷することが可能であるし、広告等を印刷することも可能である。更に、第一フラップ１４０および第二フラップ２４０は、本実施例ではいずれも表紙１００に連設する構成となっているが、これに限定されず、何れか、または、両方が裏表紙２００に連設する構成とすることも可能である。
【００２５】
本発明に係る折り畳み式ブック１は、本実施例では、表紙１００および裏表紙２００の天側と地側との間が略８６ｍｍからなり、のど側と小口側との間が略５４ｍｍからなる構成となっている。また、束幅（背表紙の幅）が略２０ｍｍからなる構成である。この構成とすることにより、折り畳み式ブック１をたばこと略同サイズとすることが可能となり、例えば、たばこの自動販売機を利用してブックの販売を行う事が可能となる。
【００２６】
また、折り畳み式ブック１は、本実施例では、耐水性を有する樹脂材を素材に形成した構成となっている。この構成とすることにより、耐水性を有する折り畳み式ブック１を構成することが可能となり、濡れる可能性の高い場所で折り畳み式ブック１を読むことが可能となるとともに、結露の可能性のある自動販売機でも折り畳み式ブック１を販売することが可能となる。
【００２７】
なお、本実施例では、折り畳み式ブック１は、表紙１００、裏表紙２００、背表紙３００、本文頁４００を全て樹脂素材で形成する構成としているが、これに限定されることはなく、他の材質を用いたり、表紙１００、裏表紙２００、背表紙３００を樹脂素材として本文頁４００を他の材質に変更するなど、適宜変更して構成することが可能である。
【図面の簡単な説明】
【００２８】
【図１】本発明に係る折り畳み式ブックの展開図
【図２】箱状にした折り畳み式ブックの斜視図
【符号の説明】
【００２９】
１    折り畳み式ブック
１００    表紙
１１０    小口側
１２０    天側
１３０    地側
１４０    第一フラップ
１４２    第一差込み
１５０    第三フラップ
１５２    第三差込み
２００    裏表紙
２１０    小口側
２２０    天側
２３０    地側
２４０    第二フラップ
２４２    第二差込み
２５０    ストッパ孔
２６０・２６２    空隙
３００    背表紙
４００    本文頁
４１０    小口側
４２０    のど側
【図１】
2019181836.tif 000003
【図２】
2019181836.tif 000004